(57)【要約】【課題】ソファー本体と足置き台とに亘らせて配置して使う長尺の座クッションがソファー本体の肘掛け部の前に張り出す部分を有していても当該長尺の座クッションをソファー本体に配置した場合に張り出し部分を有していない座クッションを用いた場合と同様の快適性並びにデザイン性を達成することができるようにする。【解決手段】上面が幅３Ｌ・奥行きＬの座面２ａである座部２ｂを有するソファー本体２と、幅(Ｌ＋ｘ)・奥行きＬのクッション載置面３ａを有する足置き台３と、幅Ｌ・奥行き２Ｌの矩形に対して幅Ｌ・張り出し量ｘの張出部５ａを有する長尺の座クッション５と、幅Ｌ・奥行き(Ｌ＋ｘ)の長方形座クッション４Ｂと、幅Ｌ・奥行きＬの正方形座クッション４Ａとを有し、長尺の座クッション５を座面２ａの長手方向に配置したときに、長尺の座クッション５の見かけの奥行きと正方形座クッション４Ａの奥行きと座面２ａの奥行きとが揃うようにした。【選択図】図１
2011167577.tif 000002
【特許請求の範囲】
【請求項１】
上面が幅３Ｌ・奥行きＬの座面である座部を有するソファー本体と、前記ソファー本体とは別体であって前記座面と同じ高さの幅(Ｌ＋ｘ)・奥行きＬのクッション載置面を有する足置き台１個と、幅Ｌ・奥行き２Ｌの矩形に対して奥行き方向の一方の長辺の端部に幅Ｌ・張り出し量ｘの張出部を有する長尺の座クッション１個と、幅Ｌ・奥行き(Ｌ＋ｘ)の長方形座クッション１個と、幅Ｌ・奥行きＬの正方形座クッション１個とを有し、前記長尺の座クッションを前記座面の長手方向に配置したときに、前記長尺の座クッションの見かけの奥行きと前記正方形座クッションの奥行きと前記座面の奥行きとが揃うことを特徴とするソファー。
【請求項２】
上面が幅ｎＬ（ただし、ｎは２以上の自然数）・奥行きＬの座面である座部を有するソファー本体と、前記ソファー本体とは別体であって前記座面と同じ高さの幅(Ｌ＋ｘ)・奥行きＬのクッション載置面を有する足置き台１個と、幅Ｌ・奥行き２Ｌの矩形に対して奥行き方向の一方の長辺の端部に幅Ｌ・張り出し量ｘの張出部を有する長尺の座クッション１個とを有すると共に、ｎ＝２の場合には幅Ｌ・奥行き(Ｌ＋ｘ)の長方形座クッション若しくは幅Ｌ・奥行きＬの正方形座クッション１個を更に有し、ｎ≧３の場合には幅Ｌ・奥行き(Ｌ＋ｘ)の長方形座クッション若しくは幅Ｌ・奥行きＬの正方形座クッション１個及び幅Ｌ・奥行きＬの正方形座クッション(ｎ−２)個を更に有し、前記長尺の座クッションを前記座面の長手方向に配置したときに、ｎ＝２の場合には前記長尺の座クッションの見かけの奥行きと前記座面の奥行きとが揃い、ｎ≧３の場合には前記長尺の座クッションの見かけの奥行きと前記正方形座クッションの奥行きと前記座面の奥行きとが揃うことを特徴とするソファー。
【請求項３】
上面が幅(ｎＬ＋ｙ)（ただし、ｎは２以上の自然数）・奥行きＬの座面である座部を有するソファー本体と、前記ソファー本体とは別体であって前記座面と同じ高さの幅(Ｌ＋ｘ)・奥行きｙのクッション載置面を有する足置き台１個と、幅Ｌ・奥行き(Ｌ＋ｙ)の矩形に対して奥行き方向の一方の長辺の端部に幅ｙ・張り出し量ｘの張出部を有する長尺の座クッション１個と、幅ｙ・奥行き(Ｌ＋ｘ)の長方形座クッション若しくは幅ｙ・奥行きＬの長方形座クッション１個と、幅Ｌ・奥行きＬの正方形座クッション(ｎ−１)個とを有し、前記長尺の座クッションを前記座面の長手方向に配置したときに、前記長尺の座クッションの見かけの奥行きと前記正方形座クッションの奥行きと前記座面の奥行きとが揃うことを特徴とするソファー。
【発明の詳細な説明】
【技術分野】
【０００１】
本発明は、ソファーに関する。さらに詳述すると、本発明は、通常の使用状態において足置き台を有するソファーに関する。
【背景技術】
【０００２】
足置き台を有する従来のソファーとしては、図９に示すように、幅３Ｌ・奥行きＬの座面１０２ａを有するソファー本体１０２と、ソファー本体１０２とは別体であって座面１０２ａと同じ高さの幅Ｌ・奥行きＬのクッション載置面１０３ａを有する足置き台１０３と、幅２Ｌ・奥行きＬの第一の座クッション１０４と、幅Ｌ・奥行きＬの二つの第二の座クッション１０５とを有するものがある（特許文献１）。そして、このソファー１０１は、足置き台１０３をソファー本体１０２と繋げて設置すると共にソファー本体１０２の座面１０２ａと足置き台１０３のクッション載置面１０３ａとに亘って第一の座クッション１０４を配置して足置き台付きソファーとして利用したり（図９（Ｂ））、足置き台１０３をソファー本体１０２と離して設置すると共に座面１０２ａに第一の座クッション１０４と第二の座クッション１０５とを配置し且つクッション載置面１０３ａに第二の座クッション１０５を配置して足置き台１０３をソファー本体１０２とは別体のスツール１０６として利用したりする（図９（Ｃ））。
【０００３】
【特許文献１】特開２００７−３３０６８３号
【発明の開示】
【発明が解決しようとする課題】
【０００４】
しかしながら、特許文献１のソファーでは、図９（Ｂ）に示すように配置して足置き台付きソファーとして利用する場合に、座クッションの連続面を拡げてより広い足置き場所を確保するために肘掛け部１０２ｂの前方に張り出す部分を第一の座クッション１０４が有するようにすると、当該第一の座クッション１０４をソファー本体１０２の座面１０２ａと足置き台１０３のクッション載置面１０３ａとに亘らせて配置することはできても、ソファー本体１０２の座面１０２ａのみに配置することはできない。たとえ配置したとしても、肘掛け部１０２ｂの前に張り出す部分が座面１０２ａからはみ出してしまって座り心地が悪く、また、見た目も悪いのでインテリアとして適さない。
【０００５】
すなわち、ソファー本体１０２と足置き台１０３とを別体とし、足置き台１０３の設置並びに座クッション１０４，１０５の配置の仕方を変えることによってソファーの利用形態を変化させて着座者の好みや着座者の人数の変化等の多様な状況に対応することが可能になるという利点が失われてしまう。
【０００６】
そこで、本発明は、足置き台の設置並びに座クッションの配置の仕方によってソファーの利用形態を変化させて足置き台付きソファーとして利用したり足置き台をソファー本体とは別体のスツールとして利用したりすることができると共に、ソファー本体座面と足置き台クッション載置面とに亘らせて配置して使う長尺の座クッションがソファー本体左右端部の肘掛け部の前に張り出す部分を有していても当該長尺の座クッションをソファー本体座面に配置した場合に張り出し部分を有していない座クッションを用いた場合と同様の快適性並びにデザイン性を達成することができるソファーを提供することを目的とする。
【課題を解決するための手段】
【０００７】
かかる目的を達成するため、請求項１記載のソファーは、上面が幅３Ｌ・奥行きＬの座面である座部を有するソファー本体と、前記ソファー本体とは別体であって前記座面と同じ高さの幅(Ｌ＋ｘ)・奥行きＬのクッション載置面を有する足置き台１個と、幅Ｌ・奥行き２Ｌの矩形に対して奥行き方向の一方の長辺の端部に幅Ｌ・張り出し量ｘの張出部を有する長尺の座クッション１個と、幅Ｌ・奥行き(Ｌ＋ｘ)の長方形座クッション１個と、幅Ｌ・奥行きＬの正方形座クッション１個とを有し、前記長尺の座クッションを前記座面の長手方向に配置したときに、前記長尺の座クッションの見かけの奥行きと前記正方形座クッションの奥行きと前記座面の奥行きとが揃うようにしている。
【０００８】
また、請求項２記載のソファーは、上面が幅ｎＬ（ただし、ｎは２以上の自然数）・奥行きＬの座面である座部を有するソファー本体と、前記ソファー本体とは別体であって前記座面と同じ高さの幅(Ｌ＋ｘ)・奥行きＬのクッション載置面を有する足置き台１個と、幅Ｌ・奥行き２Ｌの矩形に対して奥行き方向の一方の長辺の端部に幅Ｌ・張り出し量ｘの張出部を有する長尺の座クッション１個とを有すると共に、ｎ＝２の場合には幅Ｌ・奥行き(Ｌ＋ｘ)の長方形座クッション若しくは幅Ｌ・奥行きＬの正方形座クッション１個を更に有し、ｎ≧３の場合には幅Ｌ・奥行き(Ｌ＋ｘ)の長方形座クッション若しくは幅Ｌ・奥行きＬの正方形座クッション１個及び幅Ｌ・奥行きＬの正方形座クッション(ｎ−２)個を更に有し、前記長尺の座クッションを前記座面の長手方向に配置したときに、ｎ＝２の場合には前記長尺の座クッションの見かけの奥行きと前記座面の奥行きとが揃い、ｎ≧３の場合には前記長尺の座クッションの見かけの奥行きと前記正方形座クッションの奥行きと前記座面の奥行きとが揃うようにしている。
【０００９】
また、請求項３記載のソファーは、上面が幅(ｎＬ＋ｙ)（ただし、ｎは２以上の自然数）・奥行きＬの座面である座部を有するソファー本体と、前記ソファー本体とは別体であって前記座面と同じ高さの幅(Ｌ＋ｘ)・奥行きｙのクッション載置面を有する足置き台１個と、幅Ｌ・奥行き(Ｌ＋ｙ)の矩形に対して奥行き方向の一方の長辺の端部に幅ｙ・張り出し量ｘの張出部を有する長尺の座クッション１個と、幅ｙ・奥行き(Ｌ＋ｘ)の長方形座クッション若しくは幅ｙ・奥行きＬの長方形座クッション１個と、幅Ｌ・奥行きＬの正方形座クッション(ｎ−１)個とを有し、前記長尺の座クッションを前記座面の長手方向に配置したときに、前記長尺の座クッションの見かけの奥行きと前記正方形座クッションの奥行きと前記座面の奥行きとが揃うようにしている。
【００１０】
このソファーによると、足置き台をソファー本体と繋げて設置した場合には、ソファー本体の座面と足置き台のクッション載置面とに亘らせて長尺の座クッションを配置することによって足置き台付きソファーとして利用することができる。また、足置き台をソファー本体とは別体にするようにしているので、足置き台をソファー本体と離して設置した場合には、長尺の座クッションを座面に配置してソファー本体を通常のソファーとして利用すると共に、足置き台をソファー本体とは別体のスツールとして利用することができる。
【００１１】
しかも、このソファーによると、長尺の座クッションを座面の長手方向に配置したときに、少なくとも長尺の座クッションの見かけの奥行きと座面の奥行きとが揃うようになる。
【発明の効果】
【００１２】
本発明のソファーによれば、ソファー本体の座面と足置き台のクッション載置面とに亘らせて長尺の座クッションを配置して足置き台付きソファーとして利用する場合には、ソファー本体の着座面と足置き面とが切れ目のない連続面になると共にソファー本体左右端部の肘掛け部の前方に長尺の座クッションの一部が張り出すので連続面がその分側方にも拡がり、身体の向きを変えることや脚を広げてゆったり座ることなどを可能にして着座者の姿勢の自由度を高めて快適性の向上を図ることができる。
【００１３】
さらに、本発明のソファーによれば、足置き台をソファー本体から切り離されて独立したスツールとして使う場合で、長尺の座クッションを座面の長手方向に配置したときに、少なくとも長尺の座クッションの見かけの奥行きと座面の奥行きとが揃うようになるので、張出部がソファー全体の見た目や座り心地を損なうことがなく、張り出し部分を有していない座クッションを用いた場合と同様の快適性並びにデザイン性を達成することが可能になる。
【発明を実施するための最良の形態】
【００１４】
以下、本発明の構成を図面に示す最良の形態に基づいて詳細に説明する。
【００１５】
図１から図４に、本発明のソファーの実施形態の一例を示す。このソファー１は、座面２ａを有するソファー本体２と、ソファー本体２とは別体であって座面２ａと同じ高さのクッション載置面３ａを有する足置き台３と、一方の長辺の端部に張出部５ａを有する長尺の座クッション５とを有するものである。
【００１６】
さらに、本実施形態のソファー１は、上面が幅３Ｌ・奥行きＬの座面２ａである座部２ｂを有するソファー本体２と、ソファー本体２とは別体であって座面２ａと同じ高さの幅(Ｌ＋ｘ)・奥行きＬのクッション載置面３ａを有する足置き台３と、幅Ｌ・奥行き２Ｌの矩形に対して奥行き方向の一方の長辺の端部に幅Ｌ・張り出し量ｘの張出部５ａを有する長尺の座クッション５と、幅Ｌ・奥行き(Ｌ＋ｘ)の長方形座クッション４Ｂと、幅Ｌ・奥行きＬの正方形座クッション４Ａとを有し、座部２ｂの後側の収容部２ｅに張出部５ａを収容することにより、長尺の座クッション５を座面２ａの長手方向に配置したときに、長尺の座クッション５の見かけの奥行きと正方形座クッション４Ａの奥行きと座面２ａの奥行きとが揃うようにしている。
【００１７】
ソファー本体２は、本実施形態では、上面が座クッション４Ａ，４Ｂ，５を載置するための幅３Ｌ・奥行きＬの座面２ａである座部２ｂと、座部２ｂ左右両端の肘掛け部２ｃと、座部２ｂ後側の背部２ｄとを有する。なお、本明細書では、ソファー本体２の背部２ｄ側を後、反対側を前とすると共に、この前後方向に合わせて立ったときの左手を左、右手を右とする。
【００１８】
座部２ｂ，肘掛け部２ｃ及び背部２ｄはそれぞれ例えば木又は金属管等を芯材としてウレタンフォーム等を用いて成形されると共に例えば天然皮，合成皮革，布等の表面張材によって表面が覆われる。
【００１９】
座部２ｂの左右両端に肘掛け部２ｃが固定され、座部２ｂの後端且つ左右両肘掛け部２ｃの間に背部２ｄが固定される。なお、座部２ｂと肘掛け部２ｃと背部２ｄとは、それぞれ芯材同士がボルト等によって連結されて固定される。
【００２０】
また、背部２ｄの座部２ｂ側には、着座者が寄り掛かり易いように上端側が後方に傾斜する面が形成される。
【００２１】
正方形座クッション４Ａ，長方形座クッション４Ｂ及び長尺の座クッション５は、例えばウレタン，羽毛，綿等のクッション材を内部材とすると共に、例えば天然皮，合成皮革，布等の表面張材によって表面が覆われる。なお、内部材は複数のクッション材を適宜積層するようにしても良い。また、本発明においては、正方形座クッション４Ａと長方形座クッション４Ｂと長尺の座クッション５とのうち少なくとも長尺の座クッション５は表裏の区別なく使えるものである。
【００２２】
長尺の座クッション５は、奥行き方向の一方の長辺の端部に幅Ｌの張出部５ａを有する。本実施形態では、張出部５ａの長辺に対する張り出し量ｘはソファー本体２の肘掛け部２ｃの前側端面の幅と同じ程度とする。しかしながら、張り出し量ｘは、肘掛け部２ｃの前側端面の幅と同程度に限定されるものではなく、当該幅よりも大きくても良いし小さくても良い。なお、例えば図２に示すように、本実施形態では張出部５ａが肘掛け部２ｃの前方に張り出すように長尺の座クッション５が配置されているが、張出部５ａが長方形座クッション４Ｂの前方に張り出すように長尺の座クッション５が配置されても良い。
【００２３】
本発明では、張出部５ａを収容可能な収容部２ｅが背部２ｄの下端に設けられる。本実施形態では、背部２ｄの下端中央に幅がＬよりも少し広い収容部２ｅが設けられる。収容部２ｅは、長尺の座クッション５の張出部５ａを収容可能な空間であれば良く、背部２ｄの後面まで貫通するものであっても良いし、少なくとも張出部５ａの張り出し量ｘ分の奥行きを有していれば背部２ｄの後面まで貫通していないものであっても良い。なお、収容部２ｅの高さは、少なくとも座クッション４Ｂ，５の厚さよりも高ければ良い。
【００２４】
足置き台３は、例えば木又は金属管等を芯材としてウレタンフォーム等を用いて成形されると共に例えば天然皮，合成皮革，布等の表面張材によって表面が覆われる。
【００２５】
また、本実施形態では、ソファー１は、背クッション６を有する。背クッション６は、例えばウレタン，羽毛，綿等のクッション材を内部材とすると共に、例えば天然皮，合成皮革，布等の表面張材によって表面が覆われる。なお、内部材は複数のクッション材を適宜積層するようにしても良い。本実施形態では、三つの背クッション６が背部２ｄに立てかけられてソファー本体２の長手方向に横並びで配置される。
【００２６】
上述したソファー１の利用形態を以下に説明する。
【００２７】
図２は、ソファー１が足置き台付きソファーとして利用される場合の形態である。具体的には、ソファー本体２の座部２ｂの前方左側に寄せて足置き台３が座部２ｂと繋がって設置されると共に、座部２ｂの座面２ａの左側と足置き台３のクッション載置面３ａとに亘って長尺の座クッション５が配置される。そして、座部２ｂの座面２ａの中央部に長方形座クッション４Ｂと座面２ａの右側に正方形座クッション４Ａとが横並びで配置される。なお、図２に示す形態の場合は、長方形座クッション４Ｂは奥行き(Ｌ＋ｘ)のうちのｘ分を背部２ｄの収容部２ｅに差し込んで配置され（図４（Ａ））、長方形座クッション４Ｂの座面２ａ上の見かけの奥行きはＬになって座面２ａ及び正方形座クッション４Ａの奥行きと揃っている。
【００２８】
これにより、図２に示す形態の場合は、ソファー本体２は、左側は足置き台３と共に足置き台付きソファーとして利用されると共に、中央部及び右側は通常のソファーとして利用される。
【００２９】
一方、図３は、足置き台３がソファー本体２と離して設置されて通常のソファー並びにスツール７としてソファー１が利用される場合の形態である。具体的には、足置き台３がソファー本体２と離して設置されると共にクッション載置面３ａに長方形座クッション４Ｂが配置され、ソファー本体２の座部２ｂの座面２ａに正方形座クッション４Ａ及び長尺の座クッション５が長手方向に横並びで配置される。これにより、図３に示す形態の場合は、ソファー本体２は通常のソファーとして利用され、足置き台３はソファーとは別体のスツール７として利用される。
【００３０】
そして、図３に示す形態の場合は、長尺の座クッション５の張出部５ａは背部２ｄの収容部２ｅに差し込まれて収容される。これにより、張出部５ａを有する長尺の座クッション５をソファー本体２の座部２ｂに長手方向に配置する場合も、長尺の座クッション５の座面２ａ上の見かけの奥行きはＬになって座面２ａ及び正方形座クッション４Ａの奥行きと揃うので、座り心地や見た目を損なうことがない。
【００３１】
以上の構成を有する本発明のソファーによれば、足置き台３をスツール７として使うと共に長尺の座クッション５をソファー本体２の座面２ａに配置する場合には長尺の座クッション５の張出部５ａをソファー本体２の背部２ｄの収容部２ｅに収容することができるので、張出部５ａがソファー全体２の見た目や座り心地を損なうことがなく、張り出し部分を有していない座クッションを用いた場合と同様の快適性並びにデザイン性を達成することが可能になる。
【００３２】
なお、上述の形態は本発明の好適な形態の一例ではあるがこれに限定されるものではなく、本発明の要旨を逸脱しない範囲において種々変形実施可能である。例えば、本実施形態では、収容部２ｅを背部２ｄの下端中央に設けるようにしているが、これに限られず、下端右側であっても良いし下端左側であっても良い。
【００３３】
また、本実施形態では、ソファー本体２が肘掛け部２ｃを有するようにしているが、肘掛け部２ｃを有しない構成としても良い。
【００３４】
また、本実施形態では、ソファー本体２が背クッション６を備えるようにしているが、背クッション６を備えない構成としても良い。この場合には、ソファー本体２の背部２ｄを背凭れとして用いるようにしても良く、さらに、背部２ｄの座部２ｂ側の面に弾力性のあるクッション材を積層させて快適性を向上させるようにしても良い。
【００３５】
また、本発明におけるソファー本体２と足置き台３と座クッション４Ａ，４Ｂ，５との大きさ並びに構成は、上述の実施形態の構成に限られるものではなく、例えば図５に示すように、幅２Ｌ・奥行きＬの座面２ａ並びに背部２ｄを有するソファー本体２と、ソファー本体２とは別体であって座面２ａと同じ高さの幅(Ｌ＋ｘ)・奥行きＬのクッション載置面３ａを有する足置き台３と、幅Ｌ・奥行き(Ｌ＋ｘ)の長方形座クッション４Ｂと、幅Ｌ・奥行き２Ｌの矩形に対して奥行き方向の一方の長辺の端部に幅Ｌ・張り出し量ｘの張出部５ａを有する長尺の座クッション５とを有し、ソファー本体２の背部２ｄ下端右側に座面２ａと連続し幅が少なくともＬであって張出部５ａを収容する収容部２ｅが設けられているようにしても良い。
【００３６】
この場合も、ソファー本体２の座部２ｂの前方左側に寄せて足置き台３が座部２ｂと繋がって設置されると共に座面２ａとクッション載置面３ａとに亘って長尺の座クッション５が配置され、座面２ａの残りの面に長方形座クッション４Ｂが配置されることにより、ソファー本体２は、左側は足置き台３と共に足置き台付きソファーとして利用されると共に右側は通常のソファーとして利用される（図５（Ａ））。このとき、長方形座クッション４Ｂは奥行き(Ｌ＋ｘ)のうちのｘ分を背部２ｄの収容部２ｅに差し込んで配置され（図５（Ａ））、長方形座クッション４Ｂの座面２ａ上の見かけの奥行きはＬになって座面２ａの奥行きと揃っている。
【００３７】
一方、足置き台３がソファー本体２と離して設置されると共にクッション載置面３ａに長方形座クッション４Ｂが配置され、ソファー本体２の座部２ｂの座面２ａに長尺の座クッション５が長手方向に配置される場合には、ソファー本体２は通常のソファーとして利用され、足置き台３はソファーとは別体のスツール７として利用される（図５（Ｂ））。
【００３８】
そして、図５（Ｂ）に示す形態の場合も、長尺の座クッション５の張出部５ａは背部２ｄの収容部２ｅに差し込まれて収容される。これにより、張出部５ａを有する長尺の座クッション５をソファー本体２の座部２ｂに長手方向に配置する場合も、長尺の座クッション５の座面２ａ上の見かけの奥行きはＬになって座面２ａの奥行きと揃うので、座り心地や見た目を損なうことがない。
【００３９】
さらに、図６に示すように、幅４Ｌ・奥行きＬの座面２ａ並びに背部２ｄを有するソファー本体２と、ソファー本体２とは別体であって座面２ａと同じ高さの幅(Ｌ＋ｘ)・奥行きＬのクッション載置面３ａを有する二つの足置き台３と、幅Ｌ・奥行き(Ｌ＋ｘ)の二つの長方形座クッション４Ｂと、幅Ｌ・奥行き２Ｌの矩形に対して奥行き方向の一方の長辺の端部に幅Ｌ・張り出し量ｘ張出部５ａを有する二つの長尺の座クッション５とを有し、ソファー本体２の背部２ｄ下端中央に座面２ａと連続し幅が少なくとも２Ｌであって張出部５ａを収容する収容部２ｅが設けられているようにしても良い。
【００４０】
この場合も、ソファー本体２は、足置き台３と共に足置き台付きソファー並びに通常のソファーとして利用される（図６（Ａ），（Ｂ））。このとき、長方形座クッション４Ｂは奥行き(Ｌ＋ｘ)のうちのｘ分を背部２ｄの収容部２ｅに差し込んで配置され（図６（Ａ），（Ｂ））、長方形座クッション４Ｂの座面２ａ上の見かけの奥行きはＬになって座面２ａの奥行きと揃っている。また、ソファー本体２は通常のソファーとして利用され、足置き台３はソファーとは別体のスツール７として利用される（図６（Ｂ），（Ｃ））。このとき、長尺の座クッション５の張出部５ａは背部２ｄの収容部２ｅに差し込まれて収容される。これにより、張出部５ａを有する長尺の座クッション５をソファー本体２の座部２ｂに長手方向に配置する場合も、長尺の座クッション５の座面２ａ上の見かけの奥行きはＬになって座面２ａの奥行きと揃うので、座り心地や見た目を損なうことがない。
【００４１】
また、本実施形態では、長方形座クッション４Ｂを用いるようにしているが、長方形座クッション４Ｂの代わりに正方形座クッション４Ａを用いるようにしても良い。この場合には、正方形座クッション４Ａの一部を収容部２ｅに差し込まないようにすることによって実施形態と同様の利用をすることができる。
【００４２】
また、以上述べた実施形態では、図７にも示すように、ｎを２以上の自然数としたときに、ソファー本体２の座面２ａは幅ｎＬ・奥行きＬであり、長方形座クッション４Ｂ並びに足置き台３のクッション載置面３ａは幅(Ｌ＋ｘ)・奥行きＬであり、長尺の座クッション５は幅Ｌ・奥行き２Ｌの矩形に対して幅Ｌ・張り出し量ｘの張出部５ａを有するものであるが、座面２ａと長方形座クッション４Ｂ並びにクッション載置面３ａと長尺の座クッション５とについての寸法の関係はこれに限られない。例えば、図８（Ａ）及び（Ｂ）に示すように、長尺の座クッション５の張出部５ａの幅をｙ(≠Ｌ)とすると共に長方形座クッション４Ｂ並びにクッション載置面３ａを幅(Ｌ＋ｘ)・奥行きｙとするようにしても良い。また、図８（Ｃ）に示すように、正方形座クッション４Ａの代わりに、幅Ｗ・奥行きＬの長方形座クッション４Ｂ’を用いるようにしても良い。さらに、図８（Ａ）及び（Ｂ）に示す場合の正方形座クッション４Ａの代わりに、幅Ｗ・奥行きＬの長方形座クッション４Ｂ’を用いるようにしても良い。これらについても、足置き台３をスツール７として使うと共に長尺の座クッション５をソファー本体２の座面２ａに配置する場合には長尺の座クッション５の張出部５ａをソファー本体２の背部２ｄの収容部２ｅに収容することができる。
【図面の簡単な説明】
【００４３】
【図１】本発明のソファーの実施形態の一例を示す図で、クッションを取り除いたソファー本体並びに足置き台の斜視図である。
【図２】実施形態のソファーを足置き台付きソファーとして利用する場合の形態を示す斜視図である。
【図３】実施形態のソファーを通常のソファー並びに別体のスツールとして利用する場合の形態を示す斜視図である。
【図４】実施形態のソファーにおける座クッションの一部の収容部への収容を説明する平面図である。（Ａ）は足置き台付きソファー及び通常のソファーとして利用する場合の座クッションの収容を説明する平面図である。（Ｂ）は通常のソファー並びに別体のスツールとして利用する場合の座クッションの収容を説明する平面図である。
【図５】他の実施形態のソファーの利用形態を示す概略平面図である。（Ａ）は足置き台付きソファー及び通常のソファーとして利用する場合の形態の概略平面図である。（Ｂ）は通常のソファー並びにスツールとして利用する場合の形態の概略平面図である。
【図６】さらに他の実施形態のソファーの利用形態を示す概略平面図である。（Ａ）は足置き台付きソファー及び通常のソファーとして利用する場合の形態の概略平面図である。（Ｂ）は足置き台付きソファー及び通常のソファー並びにスツールとして利用する場合の形態の概略平面図である。（Ｃ）は通常のソファー並びにスツールとして利用する場合の形態の概略平面図である。
【図７】座面と長方形座クッション並びにクッション載置面と長尺の座クッションとについての寸法の関係の例を説明する図である。（Ａ）は座面の幅が２Ｌで奥行きがＬの場合の図である。（Ｂ）は座面の幅が３Ｌで奥行きがＬの場合である。（Ｃ）は座面の幅が４Ｌで奥行きがＬの場合である。
【図８】座面と長方形座クッション並びにクッション載置面と長尺の座クッションとについての寸法の関係の他の例を説明する図である。（Ａ）は長尺の座クッションの張出部の幅がｙの場合の図である。（Ｂ）は（Ａ）の場合で足置き台をスツールとして利用する場合の図である。（Ｃ）は正方形座クッションの代わりに幅Ｗ・奥行きＬの長方形座クッションを用いる場合の図である。
【図９】足置き台を有する従来のソファーを示す斜視図である。（Ａ）はクッションを取り除いたソファー本体並びに足置き台の斜視図である。（Ｂ）はクッションを載せて足置き台付きソファーとして利用する場合の斜視図である。
【符号の説明】
【００４４】
１  ソファー
２  ソファー本体
２ａ  座面
２ｂ  座部
２ｃ  肘掛け部
２ｄ  背部
２ｅ  収容部
３  足置き台
３ａ  クッション載置面
４Ａ  正方形座クッション
４Ｂ  長方形座クッション
５  長尺の座クッション
５ａ  張出部
７  スツール
ｘ  張り出し量
【図１】
2011167577.tif 000003
【図２】
2011167577.tif 000004
【図３】
2011167577.tif 000005
【図４】
2011167577.tif 000006
【図５】
2011167577.tif 000007
【図６】
2011167577.tif 000008
【図７】
2011167577.tif 000009
【図８】
2011167577.tif 000010
【図９】
2011167577.tif 000011